(57)【要約】【課題】痛み抑制領域の形成のために製造設備に大規模な改造を施す必要がなく、蓋の変形に伴い、長尺物の切断に支障を来すことの少ない巻回体用の包装箱及びその製造方法を提供する。【解決手段】巻芯２にフィルム３が巻かれた巻回体１に対向可能な底板１１と、底板１１の一側部に屈曲可能に接続される第一の側壁板１４と、底板１１の他側部に屈曲可能に接続されて第一の側壁板１４に対向する第二の側壁板１４Ａとを有する握持可能な巻回体用の包装箱１０であり、底板１１の一側部に、フィルム３用の切断歯３０を接着し、底板１１の他側部と第二の側壁板１４Ａの接続部分２６付近に、底板１１と第一、第二の側壁板１４・１４Ａが区画する空間方向に陥没可能な細長い平面略台形の痛み抑制領域４０を形成する。痛み抑制領域４０が選択的に使用できるよう陥没可能に形成されるので、既存の製函装置に必要があれば、僅かな改造を施すだけで容易に対応できる。【選択図】図３
2018122877.tif 000002
【特許請求の範囲】
【請求項１】
巻芯に長尺物が巻かれた巻回体に対向可能な底板と、この底板の一側部に接続される第一の側壁板と、底板の他側部に接続されて第一の側壁板に対向する第二の側壁板とを含む握持可能な巻回体用の包装箱であって、
底板の一側部に、巻回体の長尺物用の切断部材が取り付けられ、底板の他側部と第二の側壁板との接続部分付近に、底板と第一、第二の側壁板とが区画する空間方向に屈曲可能な痛み抑制領域が形成されることを特徴とする巻回体用の包装箱。
【請求項２】
第一、第二の側壁板の両端部にそれぞれ屈曲可能に接続される内フラップと、第二の側壁板の側部に屈曲可能に接続されて底板に対向する天板と、この天板に屈曲可能に接続されて第一の側壁板に対向可能な重ね胴板とを含み、
底板と天板のいずれか一方の両端部に、内フラップに対向可能な外蓋フラップがそれぞれ屈曲可能に接続され、
重ね胴板が、天板の側部に屈曲可能に接続されて第一の側壁板に重なる胴片と、この胴片の側部に連続した複数の小穴を介し接続される剥離片とに分割され、
第一の側壁板と重ね胴板の剥離片のいずれかに、これらを接着する複数の接着部が形成され、重ね胴板の剥離片には、複数の接着部のうち、少なくとも一部の接着部の周縁に部分的に沿う切り欠きが形成される請求項１記載の巻回体用の包装箱。
【請求項３】
底板の他側部と第二の側壁板との接続部分付近の少なくとも略中央に痛み抑制領域が形成され、接続部分付近の少なくとも略中央と痛み抑制領域との間に、折り込み用の多重折込線が形成される請求項１又は２記載の巻回体用の包装箱。
【請求項４】
痛み抑制領域は、底板の他側部と第二の側壁板との接続部分から底板の他側部に形成される第一の痛み抑制部と、底板の他側部と第二の側壁板との接続部分から第二の側壁板に形成される第二の痛み抑制部とを含み、これら第一、第二の痛み抑制部が底板の両端部方向にそれぞれ伸長されており、底板の他側部と第二の側壁板との接続部分から第一、第二の痛み抑制部の周縁長辺までの幅がそれぞれ３．２〜５．５ｍｍとされる請求項１、２、又は３記載の巻回体用の包装箱。
【請求項５】
痛み抑制領域の第一、第二の痛み抑制部がそれぞれ細長い平面略台形に形成される請求項４記載の巻回体用の包装箱。
【請求項６】
坪量が３５０〜６００ｇ／ｃｍ２のカートン原紙を用い、請求項１ないし５のいずれかに記載した巻回体用の包装箱を製造することを特徴とする巻回体用の包装箱の製造方法。
【発明の詳細な説明】
【技術分野】
【０００１】
本発明は、芯に包装用のフィルム、アルミホイル、クッキングペーパー等が巻かれた巻回体用の包装箱及びその製造方法に関するものである。
【背景技術】
【０００２】
食品の乾燥や酸化を防いだり、食品の香りが他の食品に移るのを防止する場合には、巻芯に食品包装用のフィルムが巻かれた巻回体が使用されるが、この巻回体は、専用の包装箱に収納して用いられるのが一般的である。
【０００３】
この種の包装箱は、図示しないが、巻回体を回転可能に収納する細長い本体箱と、この本体箱の開口した上部を開閉するボックスタイプの蓋とを備え、本体箱の後部を形成する後板上部に、蓋を形成する蓋板後部が上下方向に揺動可能に接続されている。本体箱の後板上部と蓋の蓋板後部との接続部中央付近には、角の無い面取り部が部分的に凹み形成されている。また、蓋の前部を形成する掩蓋片には、巻回体のフィルムを切断するＶ字形の切断刃が接着されている（特許文献１参照）。
【０００４】
上記構成において、食品の乾燥や酸化を防ぐ場合には、先ず、包装箱の中央部付近を握り、この握った包装箱の蓋を開けて巻回体からフィルムを必要な長さ分引き出し、この引き出したフィルムにより、食品を被覆して包装する。こうして食品を包装したら、包装箱の蓋を閉じ、包装箱を握った手を捻り、包装箱を内側に回転させれば、蓋の切断刃がフィルムを切断するので、食品の乾燥や酸化を防ぐことができる。これらの作業の際、包装箱の角の無い面取り部に手を接触させれば、包装箱を握りやすくなる。
【先行技術文献】
【特許文献】
【０００５】
【特許文献１】特開２０１４‐１３６５８８号公報
【発明の概要】
【発明が解決しようとする課題】
【０００６】
従来における巻回体用の包装箱は、以上のように構成され、本体箱の後板上部と蓋の蓋板後部との接続部中央付近に面取り部が必ず凹み形成されるので、包装箱の握持が容易になり、操作性や取扱性が向上するものの、面取り部を凹み形成するには、既存の製函装置や製造工程では対応することができず、大規模で複雑な改造が必要になるという問題がある。
【０００７】
また、蓋の掩蓋片に切断刃が単に接着されるので、包装箱が強く握持されると、蓋が撓んで変形し、その結果、フィルムの切断に支障を来すことがある。フィルムを適切に切断するには、蓋の強度を向上させれば良いが、包装箱がカートン原紙の打ち抜きで一体形成される関係上、蓋のみの強度を向上させるのは困難である。
【０００８】
本発明は上記に鑑みなされたもので、痛み抑制領域の形成のために製造設備に大規模な改造を施す必要がなく、蓋の変形に伴い、長尺物の切断に支障を来すことの少ない巻回体用の包装箱及びその製造方法を提供することを目的としている。
【課題を解決するための手段】
【０００９】
本発明においては上記課題を解決するため、巻芯に長尺物が巻かれた巻回体に対向可能な底板と、この底板の一側部に接続される第一の側壁板と、底板の他側部に接続されて第一の側壁板に対向する第二の側壁板とを含む握持（握り持つ）可能なものであって、
底板の一側部に、巻回体の長尺物用の切断部材が取り付けられ、底板の他側部と第二の側壁板との接続部分付近に、底板と第一、第二の側壁板とが区画する空間方向に屈曲可能な痛み抑制領域が形成されることを特徴としている。
【００１０】
なお、第一、第二の側壁板の両端部にそれぞれ屈曲可能に接続される内フラップと、第二の側壁板の側部に屈曲可能に接続されて底板に対向する天板と、この天板に屈曲可能に接続されて第一の側壁板に対向可能な重ね胴板とを含み、
底板と天板のいずれか一方の両端部に、内フラップに対向可能な外蓋フラップがそれぞれ屈曲可能に接続され、
重ね胴板が、天板の側部に屈曲可能に接続されて第一の側壁板に重なる胴片と、この胴片の側部に連続した複数の小穴を介し接続される剥離片とに分割され、
第一の側壁板と重ね胴板の剥離片のいずれかに、これらを接着する複数の接着部が形成され、重ね胴板の剥離片には、複数の接着部のうち、少なくとも一部の接着部の周縁に部分的に沿う切り欠きが形成されることが好ましい。
【００１１】
また、底板の他側部と第二の側壁板との接続部分付近の少なくとも略中央に痛み抑制領域が形成され、接続部分付近の少なくとも略中央と痛み抑制領域との間に、折り込み用の多重折込線が形成されることが好ましい。
【００１２】
また、痛み抑制領域は、底板の他側部と第二の側壁板との接続部分から底板の他側部に形成される第一の痛み抑制部と、底板の他側部と第二の側壁板との接続部分から第二の側壁板に形成される第二の痛み抑制部とを含み、これら第一、第二の痛み抑制部が底板の両端部方向にそれぞれ伸長されており、底板の他側部と第二の側壁板との接続部分から第一、第二の痛み抑制部の周縁長辺までの幅がそれぞれ３．２〜５．５ｍｍとされると良い。
また、痛み抑制領域の第一、第二の痛み抑制部がそれぞれ細長い平面略台形に形成されると良い。
【００１３】
また、本発明においては上記課題を解決するため、坪量が３５０〜６００ｇ／ｃｍ２のカートン原紙を用い、請求項１ないし５のいずれかに記載した巻回体用の包装箱を製造することを特徴としている。
【００１４】
ここで、特許請求の範囲における巻回体には、少なくとも巻芯に長尺の食品用のフィルム、アルミホイル、クッキングペーパー、写真用や建築用のフィルムが巻かれた医薬品、家庭用品、化学用品、建築用品等が含まれる。この巻回体は、食品包装用に使用される場合、家庭用でも良いし、業務用でも良い。また、底板の他側部と第二の側壁板との接続部分付近には、底板の他側部と第二の側壁板との接続部分、及びその近傍が含まれる。痛み抑制領域は、底板の他側部と第二の側壁板との接続部分付近の中央、接続部分の中央とその近傍、あるいは接続部分の大部分に形成することができる。さらに、多重折込線には、二重折込線や三重以上の折込線が含まれる。
【００１５】
本発明によれば、包装箱の底板の他側部と第二の側壁板との接続部分付近に手の一部が当たり、使用時に手に痛みが生じると予想される場合には、包装箱内の空間方向に痛み抑制領域を曲げて押し込み、この痛み抑制領域を凹ませて陥没させれば良い。こうすれば、痛み抑制領域は、陥没により、角の無い面取り部になるので、包装箱が握りやすくなる。角の無い痛み抑制領域を特に必要としない場合には、痛み抑制領域を押し込んで陥没させることなく、角のある包装箱をそのまま使用することができる。
【発明の効果】
【００１６】
本発明によれば、痛み抑制領域の形成のために既存の製造設備に大規模な改造を施す必要がなく、しかも、蓋の変形に伴い、長尺物の切断に支障を来すのを減少させることができるという効果がある。
【００１７】
請求項２記載の発明によれば、未完成の包装箱を中空の略角筒形に形成し、包装箱の開口した両端部の一方の端部から巻回体を挿入し、包装箱の開口した両端部の複数の内フラップに接着剤を塗布してこれらを折り畳むとともに、後から折り畳んだ内フラップに外蓋フラップを折り重ねた後、内フラップと外蓋フラップとを接着して包装箱の両端部を閉塞すれば、形状の安定した巻回体用の包装箱を製造することができる。また、包装箱の重ね胴板から剥離片を除去すれば、重ね胴板の胴片が揺動可能となり、巻回体を覆う天板の開放が可能となる。天板が開放可能になれば、包装箱内に収納された巻回体を自由に取り扱うことができるので、巻回体の長尺物を簡易に引き出すことができる。
【００１８】
請求項３記載の発明によれば、包装箱から巻回体の長尺物を引き出す際、包装箱の略中央付近ではなく、角のある端部付近を握ると、手に痛みが生じるので、作業者は、凹んだ痛み抑制領域のある略中央付近を握るようになる。こうして作業者が凹んだ痛み抑制領域のある包装箱の略中央付近を握ることにより、包装箱をバランス良く操作することができ、操作性の向上が期待できる。また、底板の他側部と第二の側壁板との接続部分付近の略中央と痛み抑制領域との間に一重の折込線が単に形成される場合、包装箱の表面が部分的に割れて水等の液体が染み込み、その結果、包装箱の強度が低下したり、この強度低下に伴い、切断部材が脱落するおそれがあるが、二重以上の多重折込線を形成するので、包装箱のカートン原紙の浸水に伴う強度低下や切断部材の脱落を防ぐことが可能になる。
【００１９】
請求項４記載の発明によれば、第一、第二の痛み抑制部の幅がそれぞれ３．２〜５．５ｍｍの範囲なので、底板の他側部と第二の側壁板との接続部分に多重折込線が必要以上に接近し、第一、第二の痛み抑制部の屈曲に支障を来すのを防止することが可能になる。また、第一、第二の痛み抑制部の面積が必要以上に拡大し、包装箱に収納された巻回体の回転に支障を来したり、包装箱自体が転がるのを防止することができる。
請求項５記載の発明によれば、第一、第二の痛み抑制部がそれぞれ細長い台形なので、これら第一、第二の痛み抑制部を包装箱の内方向に簡単に折り曲げることができる。
【００２０】
請求項６記載の発明によれば、包装箱を形成するカートン原紙の坪量が３５０〜６００ｇ／ｃｍ２の範囲なので、カートン原紙の浸水に伴う強度不足で包装箱の実用性や耐久性が低下するのを防止することができる。また、カートン原紙の硬度が必要以上に高くなり、痛み抑制領域の形成等の加工作業に支障を来すのを抑制することが可能になる。
【図面の簡単な説明】
【００２１】
【図１】本発明に係る巻回体用の包装箱の実施形態を模式的に示す斜視説明図である。
【図２】本発明に係る巻回体用の包装箱の実施形態における巻回体を模式的に示す斜視説明図である。
【図３】本発明に係る巻回体用の包装箱の実施形態を模式的に示す断面説明図である。
【図４】本発明に係る巻回体用の包装箱の実施形態における内フラップと外蓋フラップとを模式的に示す斜視説明図である。
【図５】本発明に係る巻回体用の包装箱の実施形態を模式的に示す展開説明図である。
【図６】本発明に係る巻回体用の包装箱の実施形態におけるフィルムを切断する状態を模式的に示す斜視説明図である。
【図７】本発明に係る巻回体用の包装箱の実施形態における包装箱の切断歯を上方に向け、この切断歯で巻回体のフィルムを切断する状態を模式的に示す斜視説明図である。
【図８】本発明に係る巻回体用の包装箱の第２の実施形態を模式的に示す展開説明図である。
【図９】本発明に係る巻回体用の包装箱の第３の実施形態を模式的に示す展開説明図である。
【発明を実施するための形態】
【００２２】
以下、図面を参照して本発明の好ましい実施の形態を説明すると、本実施形態における巻回体用の包装箱１０は、図１ないし図７に示すように、巻回体１に対向して搭載可能な底板１１と、この底板１１の一側部に屈曲可能に接続される第一の側壁板１４と、底板１１の他側部に屈曲可能に接続されて第一の側壁板１４に対向する第二の側壁板１４Ａと、この第二の側壁板１４Ａの側部に屈曲可能に接続されて底板１１に対向する天板１７と、この天板１７に屈曲可能に接続されて第一の側壁板１４に対向可能な重ね胴板１８とを備えた握持可能な細長い箱であり、底板１１の一側部に、巻回体１のフィルム３用の切断歯３０を接着し、底板１１の他側部と第二の側壁板１４Ａとの接続部分２６付近に、底板１１と第一、第二の側壁板１４・１４Ａとが区画する巻回体１収納用の空間方向に陥没可能な痛み抑制領域４０を形成するようにしている。
【００２３】
巻回体１は、図２や図３に示すように、包装箱１０の底板１１よりも短い巻芯２を備え、この巻芯２の外周面に透明帯形のフィルム３が２０ｍ〜５０ｍ程度、あるいは５０ｍ〜１１０ｍ程度巻回されており、包装箱１０内に回転可能に収納される。巻芯２は、所定の紙により、円筒形に形成される。また、フィルム３は、例えば耐熱性や耐水性等に優れるポリ塩化ビニリデン、ポリ塩化ビニル、ポリエチレン等により柔軟な薄膜に成形され、巻回体１から所定の長さ分引き出された後、包装箱１０の切断歯３０により切断され、食品の包装に利用される。
【００２４】
包装箱１０は、図５に示すように、底板１１、第一、第二の側壁板１４・１４Ａ、天板１７、重ね胴板１８、及び痛み抑制領域４０がカートン原紙２４の打ち抜きにより一体形成される。この包装箱１０の底板１１、第一、第二の側壁板１４・１４Ａ、天板１７、及び重ね胴板１８は、巻回体１に対応する細長い長方形にそれぞれ形成され、底板１１の一側部と第一の側壁板１４との間、底板１１の他側部と第二の側壁板１４Ａとの間、第二の側壁板１４Ａの側部と天板１７との間、及び天板１７の側部と重ね胴板１８との間には、包装箱１０の組立を容易にする屈曲用の折線２５がそれぞれ形成される。このような包装箱１０は、第一の側壁板１４の表面に重ね胴板１８が接着された未完成の状態で図示しない製函機に平坦に折り畳んでセットされる。
【００２５】
カートン原紙２４は、例えば化粧された加工紙や白板紙等からなり、表面に製品価値を高める所定の模様が印刷されるとともに、この所定の模様を保護する滑りにくいグロスニス等のニスが連続して塗布される。このカートン原紙２４の坪量は、包装箱１０の強度と加工性の両立を図る観点から、３５０〜６００ｇ／ｃｍ２、好ましくは４５０〜５８０ｇ／ｃｍ２、より好ましくは５００〜５５０ｇ／ｃｍ２、さらに好ましくは５５０ｇ／ｃｍ２が最適である。
【００２６】
これは、カートン原紙２４の坪量が３５０ｇ／ｃｍ２未満の場合には、カートン原紙２４が柔らかいので、加工が容易ではあるものの、カートン原紙２４の浸水に伴う強度低下が著しく、実用性や耐久性に問題が生じるからである。これに対し、６００ｇ／ｃｍ２を越える場合には、カートン原紙２４の硬度が必要以上に高くなり、痛み抑制領域４０の形成等の加工作業に支障を来すからである。
【００２７】
底板１１の短辺の両端部には図１、図４、図５に示すように、包装箱１０の開口した端部に対応する大きさの外蓋フラップ１２がそれぞれ折線２５を介し屈曲可能に接続され、各外蓋フラップ１２が矩形に形成される。外蓋フラップ１２の先端部には、天板１７の裏面端部に重なる先細りの舌フラップ１３が折線２５を介し屈曲可能に接続され、これら外蓋フラップ１２と舌フラップ１３とが包装箱１０の組立時にＬ字形に屈曲される。
【００２８】
第一の側壁板１４の短辺の両端部には図４や図５に示すように、矩形あるいは一部切り欠かれた台形の内フラップ１５がそれぞれ折線２５を介し屈曲可能に接続され、各内フラップ１５の表面が外蓋フラップ１２に対向して接着される。この内フラップ１５の表面には、ホットメルト接着剤の接着を容易にする複数本のミシン目１６が間隔をおき斜めに並べて形成され、各ミシン目１６が底板１１や天板１７の左右幅方向に連続して伸長される。
【００２９】
第二の側壁板１４Ａの短辺の両端部には図４や図５に示すように、包装箱１０の開口した端部を被覆可能な内フラップ１５Ａがそれぞれ折線２５を介し屈曲可能に接続され、各内フラップ１５Ａが矩形あるいは一部切り欠かれた台形等に形成されており、各内フラップ１５Ａが折り畳まれて対向する第一の側壁板１４の内フラップ１５裏面に接着される。この内フラップ１５Ａの表面には、ホットメルト接着剤の接着を容易にする複数本のミシン目１６Ａが間隔をおき斜めに並べて形成され、各ミシン目１６Ａが底板１１や天板１７の左右幅方向に連続して伸長される。
【００３０】
第一、第二の側壁板１４・１４Ａの内フラップ１５・１５Ａは、天板１７の裏面端部との間に外蓋フラップ１２の舌フラップ１３を挟持するのであれば、同じ大きさや長さでも良いが、必要に応じて変更される。例えば図４に示すように、第一の側壁板１４の内フラップ１５が短く形成されるとともに、第二の側壁板１４Ａの内フラップ１５Ａが長く形成されたり、逆に第一の側壁板１４の内フラップ１５が長く形成され、第二の側壁板１４Ａの内フラップ１５Ａが短く形成される。
【００３１】
天板１７は、図１、図３ないし図５に示すように、底板１１と同じ大きさ・長さに形成され、底板１１に対向して巻回体１を収納する空間を区画形成する。この天板１７の短辺の両端部には、底板１１の両端部に外蓋フラップ１２が接続されない場合、巻回体１のフィルム３の引き出しに支障を来さないことを条件として、外蓋フラップ１２がそれぞれ折線２５を介し屈曲可能に接続される。
【００３２】
重ね胴板１８は、図１、図４、図５に示すように、天板１７の側部に接続されて第一の側壁板１４の表面に重なる細長い胴片１９と、この胴片１９の側部にミシン目２０を介して接続される細長い剥離片２１とに分割され、この剥離片２１の裏面長手方向に、第一の側壁板１４の表面に接着剤により接着される複数の接着部２２が所定の間隔をおき並べて形成されており、各接着部２２が略円形に区画形成されて所定の接着剤が塗布される。
【００３３】
ミシン目２０の両端部には、必要に応じ、胴片１９と剥離片２１との分離を容易にする略三角形の切り欠きがそれぞれ形成される。また、剥離片２１の少なくとも表面長手方向には、複数の接着部２２のうち、少なくとも一部の接着部２２の周縁に部分的に沿う略半円弧形の切り欠き２３が所定の間隔をおきそれぞれ形成され、この複数の切り欠き２３を利用した押圧操作により、剥離片２１の複数の接着部２２間等が部分的に浮き上がり、第一の側壁板１４の表面から剥離片２１が徐々に、かつ簡単に剥離される。
【００３４】
このような重ね胴板１８は、第一の側壁板１４から剥離片２１が複数の切り欠き２３を介して剥離され、この剥離片２１が胴片１９からミシン目２０に沿って除去されることにより、胴片１９が揺動可能となって天板１７の開放を可能とする。天板１７が開放可能になると、包装箱１０内に収納された巻回体１を自由に取り扱うことができ、巻回体１のフィルム３を所定の長さ分引き出すことができる。
【００３５】
切断歯３０は、図３ないし図５に示すように、例えば生分解性樹脂により細長い長方形の薄板に成形され、両側のうち、少なくとも一側部の長手方向に複数の鋸歯３１が連続して形成されるとともに、各鋸歯３１が小さな三角形に形成されており、巻回体１から引き出されたフィルム３を迅速に切断できるよう、底板１１の表面一側部に接着剤等により接着される。この切断歯３０の生分解性樹脂としては、例えばバイオポリエステル、バクテリアセルロース、脂肪酸ポリエステル等があげられる。
【００３６】
切断歯３０の一側部は、底板１１の表面一側部と第一の側壁板１４の表面側部との接続部分付近、換言すれば、境界の折線２５付近に位置し、複数の鋸歯３１が底板１１の表面一側部から僅かに食み出ており、この僅かに食み出た複数の鋸歯３１が巻回体１から引き出されたフィルム３を切断するよう機能する。切断歯３０は、細長い長方形が主ではあるが、必要に応じ、細長い略へ字形等の薄板に成形される。
【００３７】
痛み抑制領域４０は、図３や図５に示すように、底板１１の他側部と第二の側壁板１４Ａとの接続部分２６から底板１１の他側部にかけて形成される第一の痛み抑制部４１と、底板１１の他側部と第二の側壁板１４Ａとの接続部分２６から第二の側壁板１４Ａにかけて形成される第二の痛み抑制部４３とを備え、底板１１の他側部と第二の側壁板１４Ａとの接続部分２６付近の少なくとも略中央に陥没可能に形成されており、接続部分２６付近の少なくとも略中央との間に、折り込み用の二重折込線４５が形成される。
【００３８】
痛み抑制領域４０は、底板１１の他側部と第二の側壁板１４Ａとの接続部分２６付近に形成されるが、これは、底板１１の一側部の切断歯３０で巻回体１のフィルム３を切断する場合、切断歯３０の反対側に位置する底板１１の他側部と第二の側壁板１４Ａとの接続部分２６付近に指やその指節線が強く接触することが少なくないからである。
【００３９】
第一の痛み抑制部４１は、底板１１の両端部方向（図５の上下方向）、換言すれば、包装箱１０の長手方向に細長く伸長され、底板１１の他側部から一側部方向に向かうにしたがい徐々に狭まる細長い台形に形成されており、底板１１の他側部と第二の側壁板１４Ａとの接続部分２６から周縁長辺４２までの幅が３．２〜５．５ｍｍ、好ましくは４．０〜５．３ｍｍ、より好ましくは５．０ｍｍとされる。この第一の痛み抑制部４１は、ユーザーの掌の大きさを考慮した長さに形成される。第一の痛み抑制部４１が細長い台形なのは、単なる長方形の場合には、第一の痛み抑制部４１の折り込みに支障を来すからである。
【００４０】
第一の痛み抑制部４１の幅が３．２〜５．５ｍｍの範囲なのは、３．２ｍｍ未満の場合には、底板１１の他側部と第二の側壁板１４Ａとの接続部分２６に二重折込線４５が必要以上に接近し、第一の痛み抑制部４１の折り込みに支障を来すからである。これに対し、５．５ｍｍを越える場合には、第一の痛み抑制部４１の面積が必要以上に拡大し、包装箱１０に収納された巻回体１の回転に支障を来したり、包装箱１０の静置安定性が低下するからである。
【００４１】
第二の痛み抑制部４３は、底板１１の両端部方向、換言すれば、包装箱１０の長手方向に細長く伸長され、第二の側壁板１４Ａから天板１７方向に向かうにしたがい徐々に狭まる細長い台形に形成されており、底板１１の他側部と第二の側壁板１４Ａとの接続部分２６から周縁長辺４４までの幅が３．２〜５．５ｍｍ、好ましくは４．０〜５．３ｍｍ、より好ましくは５．０ｍｍとされる。この第二の痛み抑制部４３も、ユーザーの掌の大きさを考慮した長さに形成される。第二の痛み抑制部４３が細長い台形なのは、第一の痛み抑制部４１の場合と同様、単なる長方形のときには、第二の痛み抑制部４３を簡単に折り込むことができなくなるからである。
【００４２】
第二の痛み抑制部４３の幅が３．２〜５．５ｍｍの範囲なのは、第一の痛み抑制部４１の場合と同様、３．２ｍｍ未満のときには、底板１１の他側部と第二の側壁板１４Ａとの接続部分２６に二重折込線４５が過剰に接近し、第二の痛み抑制部４３の折り込みが困難になるという理由に基づく。これに対し、５．５ｍｍを越えるときには、第二の痛み抑制部４３の面積が必要以上に拡大し、包装箱１０に収納された巻回体１の回転に困難を来したり、包装箱１０の静置安定性の低下を招くという理由に基づく。
【００４３】
このような第一、第二の痛み抑制部４１・４３は、相互に隣接して二重折込線４５に包囲され、包装箱１０の内方向に共に押し込まれ、陥没することにより、指に不快な刺激が生じない痛み抑制領域４０を丸く形成するよう機能する。
【００４４】
二重折込線４５は、二本の折込線からなり、第一、第二の痛み抑制部４１・４３の周縁部に沿うよう形成されており、凹凸を生じさせることにより、カートン原紙２４の浸水に伴う強度低下や切断歯３０の脱落を防止するよう機能する。これは、二重折込線４５ではなく、一重の折込線の場合、包装箱１０の表面が部分的に割れて水等の液体が染み込み、包装箱１０表面のニスの欠けた部分からカートン原紙２４が吸水し、その結果、カートン原紙２４の強度が低下するからである。また、カートン原紙２４が吸水して強度が低下すると、切断歯３０が脱落するおそれがあるからである。この問題は、切断歯３０が生分解性樹脂製造の場合、深刻である。
【００４５】
上記構成において、巻回体用の包装箱１０を組み立てて製造・出荷する場合、製函機に平坦に折り畳んでセットされた未完成の包装箱１０は、先ず、引き起こされて中空の角筒形に成形され、開口した両端部の一方の端部から既に製造された巻回体１が水平に挿入される。
【００４６】
巻回体１が挿入された包装箱１０は、開口した両端部における一対の内フラップ１５・１５Ａの表面にポリオレフィン系のホットメルト接着剤等がそれぞれ薄く塗布され、一対の内フラップ１５・１５Ａが順次折り畳まれる（図４参照）とともに、後から折り畳まれた内フラップ１５の表面に外蓋フラップ１２が折り重ねられてその舌フラップ１３が一対の内フラップ１５・１５Ａと天板１７との間に挟持され、内フラップ１５と外蓋フラップ１２との接着により、開口した両端部がそれぞれ閉塞される。
【００４７】
この際、包装箱１０の各端部における一対の内フラップ１５・１５Ａの長さが異なる場合には、長い内フラップ１５Ａを先に畳み、この長い内フラップ１５Ａの表面に短い内フラップ１５を後から畳んで重ねれば良い。こうすれば、一対の内フラップ１５・１５Ａの姿勢を安定させることができるので、この一対の内フラップ１５・１５Ａの表面にホットメルト接着剤を適切に塗布したり、外蓋フラップ１２の裏面を強固に接着することができる。
【００４８】
また、ホットメルト接着剤を塗布する場合には、内フラップ１５・１５Ａの複数のミシン目１６に沿ってホットメルト接着剤を複数に分け、ビート塗布することができる。こうすれば、例えポリオレフィン系のホットメルト接着剤が接着しにくくても、ホットメルト接着剤の塗布範囲、塗布位置、塗布量を安定させ、確実に接着することができる。
【００４９】
包装箱１０の開口した両端部が閉塞されると、この包装箱１０の両端部やその付近に紫外光が紫外光照射装置からそれぞれ照射され、包装箱１０の各端部付近、具体的には、折り畳まれた接着状態の外蓋フラップ１２とその付近が検査装置により検査される。検査の結果、包装箱１０の両端部に外観上の問題がない場合には、包装箱１０を良品とし、他の良品の包装箱１０と共にまとめてダンボールで出荷することができる。
【００５０】
次に、巻回体用の包装箱１０を購入して使用可能な状態にする場合には、包装箱１０の重ね胴板１８から剥離片２１をミシン目２０に沿って引き千切り、除去すれば、重ね胴板１８の胴片１９が揺動可能となり、巻回体１を被覆保護する天板１７の開放が可能となる。天板１７が開放可能になれば、包装箱１０内に収納された巻回体１を自由に取り扱うことができるので、巻回体１のフィルム３を使用可能な状態とすることができる。
【００５１】
この際、包装箱１０の底板１１の他側部と第二の側壁板１４Ａとの接続部分２６付近に指やその指節線が当たり、使用時に指に痛みが生じると予想される場合には、必要に応じ、包装箱１０内の空間方向に二重折込線４５で包囲された痛み抑制領域４０を押し込み、痛み抑制領域４０を凹ませて陥没させれば良い（図３参照）。痛み抑制領域４０は、陥没により、角の無い面取り部になるので、包装箱１０の中央部が握りやすくなる。したがって、痛み抑制領域４０により、包装箱１０の操作性や取扱性が向上するので、例え包装箱１０の中央部を強く握持しても、指に不快な刺激が生じるのを有効に抑制することができる。
【００５２】
痛み抑制領域４０を特に必要としない場合には、二重折込線４５に包囲された痛み抑制領域４０を押し込んで陥没させることなく、角のある包装箱１０をそのまま使用すれば良い。
【００５３】
次に、包装箱１０からフィルム３を引き出して食品の乾燥や酸化を防ぐ場合には、先ず、包装箱１０の中央部付近を握持して底板１１の切断歯３０を上に向け（図６、図７参照）、包装箱１０の天板１７を開けて巻回体１からフィルム３を必要な長さ分引き出し、包装箱１０の天板１７を閉じた後、包装箱１０を外側に傾けながら引き出したフィルム３により食品を被覆・包装するとともに、底板１１の切断歯３０でフィルム３を切断すれば、食品の乾燥や酸化を防ぐことができる。
【００５４】
これらの作業の際、包装箱１０の中央部付近ではなく、角のある端部付近を強く握持すると、指に痛みが生じるので、作業者は、無意識のうちに陥没した痛み抑制領域４０のある包装箱１０の中央部付近を握持するようになる（図７参照）。こうして作業者が陥没した痛み抑制領域４０のある包装箱１０の中央部付近を握持することにより、包装箱１０をバランス良く操作することができるので、操作性が向上し、引き出したフィルム３の切断が実に容易になる。
【００５５】
また、フィルム３を単に切断するのではなく、フィルム３を摘まんだ端部側から切断するようにすれば、必要量のフィルム３を簡単、かつ容易に切断することが可能になる（図７参照）。また、フィルム３を摘まんだ端部側から切断すると、包装箱１０や切断歯３０に過剰な負荷が作用するのを防ぐことができるので、包装箱１０や切断歯３０を最後まで最適な状態で使用することが可能になる。
【００５６】
上記構成によれば、包装箱１０に痛み抑制領域４０が必ず凹み形成されるのではなく、必要な場合にのみ選択的に使用することができるよう陥没可能に形成されるので、既存の製函装置に痛み抑制領域４０用の抜き刃を取り付けるだけで簡単に対応することができる。したがって、痛み抑制領域４０を形成するため、専用の製函装置を新たに導入する必要が全くない。また、基本的には既存の製函装置で対応することができるが、必要があれば、僅かな改造を施すだけで十分に対応することができる。
【００５７】
また、包装箱１０の天板１７ではなく、底板１１に切断歯３０が接着されるので、例え包装箱１０が強く握持されても、天板１７が撓んで変形することを防止することができる。したがって、フィルム３の切断に支障を来すのを有効に防止することができる。さらに、切断歯３０が金属製ではなく、生分解性樹脂製の場合、安全性が向上し、切れ味に大きな変化がなく、しかも、廃棄時の分別や処分が実に容易となる。
【００５８】
次に、図８は本発明の第２の実施形態を示すもので、この場合には、痛み抑制領域４０の表面に、包装箱１０表面の模様とは異なる色彩４６を塗布するようにしている。
異なる色彩４６としては、特に限定されるものではないが、フィルム３を使用する者の注意を喚起する白色、黒色、赤色等があげられる。その他の部分については、上記実施形態と同様であるので説明を省略する。
【００５９】
本実施形態においても上記実施形態と同様の作用効果が期待でき、しかも、色彩４６が包装箱１０に痛み抑制領域４０が形成され、この痛み抑制領域４０が陥没可能であるのを作業者に視認・認識させることができるので、包装箱１０の製品価値を向上させ、作業者の便宜を図ることができるのは明らかである。
【００６０】
次に、図９は本発明の第３の実施形態を示すもので、この場合には、痛み抑制領域４０の第一、第二の痛み抑制部４１・４３の形をそれぞれ変更するようにしている。
この場合、第一の痛み抑制部４１は、底板１１の他側部から一側部方向に向かうにしたがい徐々に広がる細長い台形に形成される。また、第二の痛み抑制部４３は、第二の側壁板１４Ａから天板１７方向に向かうにしたがい徐々に広がる細長い台形に形成される。その他の部分については、上記実施形態と同様であるので説明を省略する。
【００６１】
本実施形態においても上記実施形態と同様の作用効果が期待でき、しかも、痛み抑制領域４０の第一、第二の痛み抑制部４１・４３の形を必要に応じて変更し、包装箱１０のデザイン性を向上させることができるのは明らかである。
【００６２】
なお、上記実施形態における第一、第二の側壁板１４・１４Ａの内フラップ１５・１５Ａには、巻回体１の巻芯２の開口した両端部にそれぞれ嵌合する巻戻り防止部を突出形成しても良い。また、第一の側壁板１４の自由側部に、フィルム３の摘み操作を容易にする屈曲可能な摘みフラップを接続しても良い。また、剥離片２１の裏面長手方向に複数の接着部２２を所定の間隔をおき並べて形成しても良いが、第一の側壁板１４の表面に複数の接着部２２を所定の間隔をおき並べて形成しても良い。
【００６３】
また、剥離片２１の少なくとも表面長手方向に、全ての接着部２２の周縁に部分的に沿う切り欠き２３を所定の間隔をおき形成しても良い。また、切断歯３０を生分解性樹脂により長方形の薄板に成形してその少なくとも一側部長手方向に複数の鋸歯３１を連続形成したが、両側部長手方向に複数の鋸歯３１をそれぞれ連続形成することができる。また、切断歯３０を金属や紙により長方形の薄板に成形してその少なくとも一側部長手方向に複数の鋸歯３１を連続形成することができる。さらに、痛み抑制領域４０の表面に、色彩の他、使用方法を示す注意書等を印刷することもできる。
【産業上の利用可能性】
【００６４】
本発明に係る巻回体用の包装箱及びその製造方法は、フィルムロール等の巻回体、家庭用品、化学製品、建築用品、食材等の製造分野で使用される。
【符号の説明】
【００６５】
１        巻回体
２        巻芯
３        フィルム（長尺物）
１０      包装箱
１１      底板
１２      外蓋フラップ
１４      第一の側壁板
１４Ａ    第二の側壁板
１５      内フラップ
１５Ａ    内フラップ
１７      天板
１８      重ね胴板
１９      胴片
２０      ミシン目（複数の小穴）
２１      剥離片
２２      接着部
２３      切り欠き
２４      カートン原紙
２６      底板の他側部と第二の側壁板との接続部分
３０      切断歯（切断部材）
３１      鋸歯
４０      痛み抑制領域
４１      第一の痛み抑制部
４２      周縁長辺
４３      第二の痛み抑制部
４４      周縁長辺
４５      二重折込線（多重折込線）
４６      色彩
【図１】
2018122877.tif 000003
【図２】
2018122877.tif 000004
【図３】
2018122877.tif 000005
【図４】
2018122877.tif 000006
【図５】
2018122877.tif 000007
【図６】
2018122877.tif 000008
【図７】
2018122877.tif 000009
【図８】
2018122877.tif 000010
【図９】
2018122877.tif 000011